(57)【特許請求の範囲】
【請求項１】
ケースの内部に収納された光源および複数のスイッチ素子と、第１の直線を回転中心軸として前記ケースに回動自在に支持された駆動体と、前記第１の直線と直交する第２の直線を回転中心軸として前記駆動体に回動自在に支持された操作ノブとを備え、前記駆動体を覆う前記操作ノブの４箇所に押圧操作方向に対応する押圧部が設けられ、これら押圧部が前記光源の光で照光可能であると共に、任意の前記押圧部を押圧操作して前記操作ノブを傾倒させることによって該押圧部に対応する前記スイッチ素子をオンさせることが可能な揺動型多方向スイッチ装置であって、
前記駆動体が前記第１の直線に沿って延びる第１軸部と前記第２の直線に沿って延びる第２軸部とを平面視で十字状に組み合わせた形状をしていると共に、前記４つの押圧部が平面視で前記第１および第２軸部と重なり合わないように前記第１および第２の直線に対して約４５度の角度をなす領域に配設されており、この操作ノブの裏面側で前記光源の光が前記押圧部に直接照射されるように構成したことを特徴とする揺動型多方向スイッチ装置。
【請求項２】
請求項１の記載において、平面視で前記第１および第２の直線の交点と重なり合う位置に前記光源が設置されていることを特徴とする揺動型多方向スイッチ装置。
【請求項３】
請求項１または２の記載において、前記操作ノブと前記複数のスイッチ素子との間にそれぞれアクチュエータを介在させると共に、前記押圧部を平面視で前記第１および第２の直線に対して約４５度の角度をなす位置に設け、かつ前記操作ノブの裏面側に前記押圧部の近傍で前記アクチュエータを押下可能な駆動部を設けたことを特徴とする揺動型多方向スイッチ装置。
【請求項４】
請求項１〜３のいずれか１項の記載において、前記ケースに前記操作ノブが前記第１の直線に沿って傾倒可能な角度と前記第２の直線に沿って傾倒可能な角度とを規制するストッパ部を設けることにより、前記操作ノブが前記押圧部の存する４方向へのみ押圧操作できるようにしたことを特徴とする揺動型多方向スイッチ装置。
【発明の詳細な説明】
【技術分野】
【０００１】
本発明は、例えば自動車のドアミラー角度調整用スイッチなどとして用いられ、操作ノブの４箇所に相異なる４つの押圧操作方向に対応する押圧部が設けられている揺動型多方向スイッチ装置に係り、特に、各押圧部が光源の光によって照光可能な揺動型多方向スイッチ装置に関するものである。
【背景技術】
【０００２】
この種の揺動型多方向スイッチ装置の従来技術として、操作ノブを４方向へ確実に押圧操作できる支持機構を備えつつ装置全体が平面視で小型化しやすいスイッチ装置が、特許文献１に記載されている。
【０００３】
かかる従来のスイッチ装置は、装置の外殻を形成するケースの上部開口に導光体を兼ねた駆動体の下部が挿入されて、この駆動体の第１軸部がケースの立壁部に軸支されていると共に、駆動体を覆うドーム状の操作ノブが該駆動体の第２軸部に回動自在に支持されている。駆動体は第１軸部の軸心と第２軸部の軸心を直交させているため、駆動体の回転中心線と、この駆動体に対する操作ノブの回転中心線とは互いに直交している。つまり、操作ノブは第１軸部を回転軸として駆動体と一体的に揺動可能（２方向へ正逆回転可能）であると共に、第２軸部を回転軸として単独で揺動可能（別の２方向へ正逆回転可能）であるため、これら４方向に対応する三角マーク等の押圧部が操作ノブの４箇所に設けられており、各押圧部は後述する光源の光で照光できるようにしてある。なお、これら４つの押圧部は操作ノブの周方向に等間隔に分散されており、このうち２つの押圧部は非操作時に第１軸部の軸心の真上に位置しており、残り２つの押圧部は非操作時に第２軸部の軸心の真上に位置している。ケースの内部には、ランプ等の光源や複数の固定接点を配設した回路基板が収納されており、この回路基板上に載置されたラバーシートの複数箇所に、前記固定接点と接離可能な可動接点を有する膨出突部が突設されている。操作ノブの下方において、ラバーシートには透孔を中心とする周囲４箇所に前記膨出突部が突設されており、各膨出突部上に搭載されたアクチュエータがそれぞれケースのガイド孔を貫通して操作ノブまたは駆動体のスイッチ駆動部に当接している。また、ラバーシートの前記透孔を貫通する前記光源が駆動体の底面と対向しており、この底面に入射された光源の光が操作ノブの各押圧部へ導かれるようになっている。
【０００４】
このように概略構成された従来のスイッチ装置において、ユーザが任意の押圧部を押し込んで操作ノブを所定角度傾倒させると、その傾倒方向（押圧操作方向）に位置するアクチュエータが真下の膨出突部を加圧して座屈変形させるため、クリック感が生起されると共に、該膨出突部内の可動接点が対応する固定接点に接触してスイッチオンするようになっている。例えば、第１軸部の軸心の真上に位置する任意の押圧部がユーザに押し込まれた場合には、駆動体は回転しないが操作ノブが第２軸部を回転軸として回転し、傾倒方向に位置するアクチュエータが操作ノブのスイッチ駆動部に押し込まれて下動するため、このアクチュエータの真下に配設されているスイッチ素子（対をなす可動接点および固定接点）をオンさせることができる。また、第２軸部の軸心の真上に位置する任意の押圧部がユーザに押し込まれた場合は、操作ノブが第１軸部を回転軸として駆動体と一体的に回転し、傾倒方向に位置するアクチュエータが駆動体のスイッチ駆動部に押し込まれて下動するため、このアクチュエータの真下に配設されているスイッチ素子をオンさせることができる。なお、操作ノブを傾倒させている操作力が取り除かれると、座屈変形していた膨出突部が自身の弾性で元の形状に戻るため、可動接点が固定接点から離れてオンからオフに切り替わると共に、操作ノブがアクチュエータに押し上げられて傾倒前の初期位置へ自動復帰する。
【０００５】
また、夜間等の暗所で光源を点灯させると、駆動体の底面に入射された光源の光が操作ノブの各押圧部へ導かれるため、これら押圧部が照光して押圧操作方向を瞬時に把握することができ、よってユーザは暗所でも操作ノブを正しく押圧操作することができる。
【先行技術文献】
【特許文献】
【０００６】
【特許文献１】特開２００５−１９０６９８号公報
【発明の概要】
【発明が解決しようとする課題】
【０００７】
ところで、前述した従来の揺動型多方向スイッチ装置において、操作ノブの各押圧部を照光させている状態で、導光体を兼ねた駆動体が操作時に回転（傾倒）すると、この駆動体の底面（入射面）が光源に対して傾くため、光源から駆動体への入射光量が大幅に低減して、各押圧部は極端に暗く照光された状態となる。つまり、前述した従来のスイッチ装置では、操作ノブの傾倒方向や傾倒角度に応じて各押圧部の照光状態（明るさ）が大きく変化してしまうため、操作時に良好な照光品位を維持することが困難であるという問題があった。また、操作ノブを回動自在に支持する駆動体を導光体として機能するように作製しなければならないことから、駆動体を安価に製造できないという問題もあり、これが装置の低コスト化を阻害する要因となっていた。
【０００８】
本発明は、このような従来技術の実情に鑑みてなされたもので、その目的は、操作時に良好な照光品位を維持することができて低コスト化も図りやすい揺動型多方向スイッチ装置を提供することにある。
【課題を解決するための手段】
【０００９】
上記の目的を達成するために、本発明は、ケースの内部に収納された光源および複数のスイッチ素子と、第１の直線を回転中心軸として前記ケースに回動自在に支持された駆動体と、前記第１の直線と直交する第２の直線を回転中心軸として前記駆動体に回動自在に支持された操作ノブとを備え、前記駆動体を覆う前記操作ノブの４箇所に押圧操作方向に対応する押圧部が設けられ、これら押圧部が前記光源の光で照光可能であると共に、任意の前記押圧部を押圧操作して前記操作ノブを傾倒させることによって該押圧部に対応する前記スイッチ素子をオンさせることが可能な揺動型多方向スイッチ装置において、前記駆動体が前記第１の直線に沿って延びる第１軸部と前記第２の直線に沿って延びる第２軸部とを平面視で十字状に組み合わせた形状をしていると共に、前記４つの押圧部が平面視で前記第１および第２軸部と重なり合わないように前記第１および第２の直線に対して約４５度の角度をなす領域に配設されており、この操作ノブの裏面側で前記光源の光が前記押圧部に直接照射されるように構成した。
【００１０】
このように構成された揺動型多方向スイッチ装置では、４つのうちの任意の押圧部を押し込んで操作ノブを第１および第２の直線と約４５度の角度をなす方向へ傾倒させるとき、駆動体はケースに対して回転し、この駆動体に対して操作ノブが回転することになる。ここで、駆動体や操作ノブの回転中心線となる第１の直線や第２の直線には、駆動体に設けた平面視十字形状の第１軸部と第２軸部を配置させねばならないが、操作ノブの各押圧部が平面視で駆動体の第１および第２軸部と重なり合わない領域に設けてあれば、これら第１および第２軸部の存しない空間を介して操作ノブの裏面側の各押圧部に光源の光を直接照射できるため、これら押圧部を明るく照光させることが容易となり、駆動体を導光体として機能させる必要もなくなる。それゆえ、光源や駆動体の部品コストを抑制できると共に、操作ノブの傾倒方向（押圧操作方向）や傾倒角度が異なっても各押圧部の照光状態（明るさ）がほとんど変化しなくなる。
【００１１】
上記の構成において、平面視で第１および第２の直線の交点と重なり合う位置に光源が設置されていると、１つの光源で操作ノブの４つの押圧部をすべて明るく照光させることができるため好ましい。
【００１２】
また、上記の構成において、操作ノブと各スイッチ素子との間にそれぞれアクチュエータを介在させると共に、操作ノブの各押圧部を平面視で第１および第２の直線に対して約４５度の角度をなす位置に設け、かつ操作ノブの裏面側に押圧部近傍で前記アクチュエータを押下可能な駆動部を設けておけば、ユーザが任意の押圧部を押し込んで操作ノブを傾倒させたときに、駆動部がアクチュエータを介して所望のスイッチ素子を確実にオンさせることができるため、信頼性が高めやすくなり、かつ、光源の光をアクチュエータや駆動部に邪魔されずに押圧部に照射させることができる。
【００１３】
また、上記の構成において、ケースに操作ノブが第１の直線に沿って傾倒可能な角度と第２の直線に沿って傾倒可能な角度とを規制するストッパ部を設けることにより、操作ノブが各押圧部の存する４方向へのみ押圧操作できるようにしてあると、誤操作を確実に防止できる高信頼性の４方向スイッチ装置が実現できる。
【発明の効果】
【００１４】
本発明の揺動型多方向スイッチ装置は、駆動体に第１および第２の直線に沿って延びる平面視十字形状の第１軸部と第２軸部が設けてあると共に、操作ノブの４つの押圧部が平面視で駆動体の第１および第２軸部と重なり合わない領域に設けてあり、これら第１および第２軸部の存しない空間を介して操作ノブの裏面側の各押圧部に光源の光を直接照射できるため、これら押圧部を明るく照光させることが容易となり、駆動体を導光体として機能させる必要もなくなる。したがって、光源や駆動体の部品コストを抑制できて装置の低コスト化が図りやすくなる。また、操作ノブの傾倒方向や傾倒角度が異なっても各押圧部の照光状態（明るさ）はほとんど変化しないため、非操作時だけでなく操作時にも良好な照光品位を維持することができる。
【図面の簡単な説明】
【００１５】
【図１】本発明の実施形態例に係る揺動型多方向スイッチ装置を含むスイッチユニットの分解斜視図である。
【図２】該スイッチユニットの一部を破断して該スイッチ装置の内部構造を示す説明図である。
【図３】該スイッチ装置の平面視形状を示す該スイッチユニットの要部平面図である。
【図４】図３のＡ−Ａ線に沿う断面図である。
【図５】図３のＢ−Ｂ線に沿う断面図である。
【図６】図３のＣ−Ｃ線に沿う断面図である。
【図７】押圧操作時における図４に対応する断面図である。
【図８】押圧操作時における図５に対応する断面図である。
【図９】押圧操作時における図６に対応する断面図である。
【発明を実施するための形態】
【００１６】
本発明の実施形態例に係る揺動型多方向スイッチ装置１について説明すると、このスイッチ装置１は、図１〜図３に示すスイッチユニット１０に組み込まれている。このスイッチユニット１０は自動車の運転席横のドアの内側に設置されるものであり、ドアミラー角度調整用の当該スイッチ装置１や、ドアミラー開閉用のスイッチ装置２や、パワーウインド開閉用の図示せぬ複数のスイッチ装置などが集約されている。なお、スイッチユニット１０の外殻は、図示せぬカバー体に覆われる上ケース１１と、この上ケース１１の底部に固定された下ケース１２とからなり、下ケース１２上に載置された回路基板１３が上ケース１１の内部に収納されている。
【００１７】
以下、本実施形態例に係る揺動型多方向スイッチ装置１について図面を参照しつつ説明する。このスイッチ装置１は、回路基板１３上に実装された４つのプッシュスイッチ３および光源４と、互いの軸心を直交させた第１軸部５ａおよび第２軸部５ｂを有する駆動体５と、各プッシュスイッチ３の可動部３ａ上にそれぞれ搭載された昇降可能なアクチュエータ６と、第２軸部５ｂに回動自在に支持されて駆動体５を覆うドーム状の操作ノブ７とによって主に構成されている。操作ノブ７の４箇所には三角マークとして目視される押圧部７ａが設けられており、ユーザが任意の押圧部７ａを押し込んで操作ノブ７を所定角度傾倒させると、傾倒方向に位置するアクチュエータ６が可動部３ａを所定ストローク押し下げて対応するプッシュスイッチ３がオンするようになっている。すなわち、このスイッチ装置１は、揺動可能な操作ノブ７を各押圧部７ａの存する４方向へ押圧操作することによって相異なるプッシュスイッチ３をオンさせることが可能な４方向スイッチ装置であり、その押圧操作方向に応じてドアミラーが上向き、下向き、右向き、左向き等に適宜変更できるようになっている。
【００１８】
スイッチ装置１の構成について詳しく説明すると、４つのプッシュスイッチ３はＬＥＤ等からなる光源４を包囲する同一円周上に等間隔に配設されている。各プッシュスイッチ３の可動部３ａ上に搭載されたアクチュエータ６は、上ケース１１に立設された円筒壁部１１ａの内壁面に沿って周方向に等間隔に４つ配置されている。円筒壁部１１ａの径方向内側には４つのガイド壁１１ｂが突設されており、円筒壁部１１ａと各ガイド壁１１ｂとの間に画成された隙間にそれぞれアクチュエータ６が昇降自在に挿入されている。これらの円筒壁部１１ａやガイド壁１１ｂがアクチュエータ６を径方向および周方向に位置規制するため、アクチュエータ６が昇降中に傾く虞はない。
【００１９】
上ケース１１には、円筒壁部１１ａの径方向内側で該円筒壁部１１ａよりも上方へ突出する一対の立壁部１１ｃが設けられている。これらの立壁部１１ｃは、図３のＢ−Ｂ線に相当する第１の直線Ｌ１に沿って対向しており、図５に示すように各立壁部１１ｃが駆動体５の第１軸部５ａを軸支している。つまり、第１軸部５ａの軸心は第１の直線Ｌ１に沿って延びており、この第１の直線Ｌ１を回転中心線として駆動体５が上ケース１１に回動自在に支持されている。なお、駆動体５は平面視形状が略十字形に形成されており、第１軸部５ａと第２軸部５ｂが互いの軸心を直交させているので、第２軸部５ｂの軸心は図３のＣ−Ｃ線に相当する第２の直線Ｌ２に沿って延びている。
【００２０】
また、上ケース１１には、円筒壁部１１ａの周方向に等間隔な４箇所から径方向外側へ突出するストッパ部１１ｄが設けられている。これらのストッパ部１１ｄは、駆動体５の第１および第２軸部５ａ，５ｂと対応する円筒壁部１１ａの外壁面の４箇所に突設されており、操作ノブ７が第１の直線Ｌ１や第２の直線Ｌ２に沿う方向へ僅かに傾倒すると、その方向に存するストッパ部１１ｄが操作ノブ７の下面に当接することにより、操作ノブ７の更なる傾倒が阻止されるようになっている。つまり、これらのストッパ部１１ｄによって、操作ノブ７は第１の直線Ｌ１や第２の直線Ｌ２に沿う方向へは押圧操作できないようになっている。
【００２１】
操作ノブ７の外表面は４つの押圧部７ａを除く領域が遮光領域となっており、暗所などにおいては光源４の光で各押圧部７ａを照光させることができる。後述するように、光源４の光は操作ノブ７の裏面側で各押圧部７ａに直接照射されるようになっている。図３に示すように、４つの押圧部７ａは操作ノブ７の周方向に等間隔な４箇所、具体的には平面視で第１の直線Ｌ１および第２の直線Ｌ２に対して約４５度の角度をなす位置に配設されている。また、図２に示すように、操作ノブ７の裏面側で各押圧部７ａの近傍にはそれぞれ駆動突起部７ｂが下向きに突設されている。これらの駆動突起部７ｂはアクチュエータ６の真上に位置している。さらに、操作ノブ７には天井面から下向きに、第２の直線Ｌ２に沿って対向する一対の軸受壁部７ｃが突設されている。図６に示すように、各軸受壁部７ｃは駆動体５の第２軸部５ｂに取り付けられて軸受として機能する部位であり、操作ノブ７は第２の直線Ｌ２を回転中心線として駆動体５に回動自在に支持されている。そして、前述したように駆動体５が第１の直線Ｌ１を回転中心線として上ケース１１に回動自在に支持されていることから、ユーザが任意の押圧部７ａを押し込んで操作ノブ７を第１および第２の直線Ｌ１，Ｌ２と約４５度の角度をなす方向へ傾倒させるとき、駆動体５は上ケース１１に対して回転し、この駆動体５に対して操作ノブ７が回転することになる。また、図２や図４に示すように、操作ノブ７の各駆動突起部７ｂとその下方に位置するプッシュスイッチ３との間にそれぞれアクチュエータ６が介在しているため、ユーザが任意の押圧部７ａを押し込むと、その押圧操作方向において駆動突起部７ｂがアクチュエータ６を介してプッシュスイッチ３の可動部３ａを押圧駆動するようになっている。
【００２２】
次に、上記の如くに構成された揺動型多方向スイッチ装置１の動作について説明する。操作ノブ７の非操作時には各アクチュエータ６に押圧操作力が作用してないため、４つのアクチュエータ６が回路基板１３から同等の高さ位置で操作ノブ７の４つの駆動突起部７ｂを支えており、よって操作ノブ７は回路基板１３に対して略平行な姿勢に保持されている。
【００２３】
そして、ユーザが例えば図３中の右側の押圧部７ａを手指で押し込んで操作ノブ７を所定角度傾倒させると、その傾倒方向（押圧操作方向）に位置する駆動突起部７ｂが真下のアクチュエータ６を押し下げるため、図７に示すように、このアクチュエータ６に対応するプッシュスイッチ３の可動部３ａが押圧駆動されてオン動作する。その結果、ドアミラーの角度を右向きに変更するための信号がスイッチ装置１から出力され、この信号に基づいてドアミラー駆動用モータが駆動制御されるようになっている。なお、該プッシュスイッチ３がオン動作している状態を第１の直線Ｌ１に沿う断面図で示すと図８のようになり、第２の直線Ｌ２に沿う断面図で示すと図９のようになる。また、プッシュスイッチ３はオン動作時にクリック感を生起するため、このクリック感がユーザの手指に感得される。
【００２４】
この後、ユーザが操作ノブ７に対する押圧操作力を取り除くと、オン動作していたプッシュスイッチ３が内蔵された弾性復帰手段によって可動部３ａを元の高さ位置まで押し上げるためオンからオフに切り替わると共に、この可動部３ａが真上のアクチュエータ６および駆動突起部７ｂを押し上げていく。その結果、操作ノブ７が押圧操作時とは逆向きに回転して、スイッチ装置１は図４〜図６に示す傾倒前の初期位置へ自動復帰する。
【００２５】
なお、ユーザが他の押圧部７ａを押し込んで操作ノブ７を傾倒させる場合の動作も、基本的に上記の動作と同様である。すなわち、ユーザが図３中の左側、上側、下側の押圧部７ａのいずれかを押し込んで操作ノブ７を所定角度傾倒させることによって、該押圧部７ａに対応するプッシュスイッチ３をオンさせることができるため、該押圧部７ａが図３中の左側、上側、下側のいずれであるかに応じて、ドアミラーの角度を左向きや上向きや下向きに変更するための信号がスイッチ装置１から出力される。
【００２６】
また、夜間等の暗所で光源４を点灯させると、光源４の光はアクチュエータ６や駆動体５や駆動突起部７ｂ等に遮られることなく操作ノブ７の裏面側の各押圧部７ａに照射される。すなわち、操作ノブ７の各押圧部７ａは第１および第２の直線Ｌ１，Ｌ２に対して約４５度の角度をなす位置に配設されているため、平面視十字形の駆動体５が各押圧部７ａと重なり合うことはなく、かつ、操作ノブ７の裏面側で押圧部７ａとは若干ずらした位置に駆動突起部７ｂが突設してあり、この駆動突起部７ｂに当接するアクチュエータ６が光源４と押圧部７ａとを結ぶ直線と交わることはない。したがって、操作ノブ７の非操作時はもちろんのこと、操作ノブ７が押圧操作時にどの方向へ傾倒した場合にも、光源４の光は操作ノブ７の裏面側の各押圧部７ａに直接照射されることになる。それゆえ、このスイッチ装置１は、操作ノブ７の外表面において各押圧部７ａを明るく照光させることができて、暗所でも操作ノブ７を正しく押圧操作することが容易であり、かつ押圧操作時に各押圧部７ａの明るさが不所望に低減する虞がない。
【００２７】
以上説明したように、本実施形態例に係る揺動型多方向スイッチ装置１は、駆動体に第１および第２の直線Ｌ１，Ｌ２に沿って延びる平面視十字形状の第１軸部５ａと第２軸部５ｂが設けてあると共に、操作ノブ７の４つの押圧部７ａが平面視で駆動体の第１および第２軸部５ａ，５ｂと重なり合わない領域に設けてあり、第１軸部５ａや第２軸部５ｂを有する駆動体５の存しない空間を介して、操作ノブ７の裏面側の各押圧部７ａに光源４の光を直接照射できるため、これら押圧部７ａを明るく照光させることが容易となり、駆動体５を導光体として機能させる必要もなくなる。したがって、光源４や駆動体５の部品コストを抑制できて装置の低コスト化が図りやすくなる。また、操作ノブ７の傾倒方向（押圧操作方向）や傾倒角度が異なっても各押圧部７ａの照光状態（明るさ）はほとんど変化しないため、非操作時だけでなく操作時にも良好な照光品位を維持することができる。
【００２８】
なお、各押圧部７ａを照光させるための光源４を複数配設してもよいが、本実施形態例のように平面視で第１および第２の直線Ｌ１，Ｌ２の交点と重なり合う位置に光源４を設置しておけば、１つの光源４で操作ノブ７の４つの押圧部７ａをすべて明るく照光させることができる。
【００２９】
また、本実施形態例に係る揺動型多方向スイッチ装置１では、操作ノブ７と各プッシュスイッチ３との間にそれぞれアクチュエータ６を介在させると共に、操作ノブ７の各押圧部７ａを平面視で第１の直線Ｌ１および第２の直線Ｌ２に対して約４５度の角度をなす位置に設け、この操作ノブ７の裏面側に押圧部７ａ近傍でアクチュエータ６を押下可能な駆動突起部７ｂを設けている。そのため、このスイッチ装置１は、ユーザが任意の押圧部７ａを押し込んで操作ノブ７を傾倒させたときに、駆動突起部７ｂがアクチュエータ６を介して所望のプッシュスイッチ３を確実にオンさせることができて信頼性が高めやすく、かつ、光源４の光をアクチュエータ６や駆動突起部７ｂに邪魔されずに押圧部７ａに照射させることができる。
【００３０】
また、本実施形態例に係る揺動型多方向スイッチ装置１では、上ケース１１の円筒壁部１１ａの外壁面の４箇所に、操作ノブ７が第１の直線Ｌ１に沿って傾倒可能な角度と第２の直線Ｌ２に沿って傾倒可能な角度とを規制するストッパ部１１ｄが突設してあり、操作ノブ７が各押圧部７ａの存する４方向へのみ押圧操作できるようにしてあるため、誤操作を確実に防止できる高信頼性の４方向スイッチ装置が実現されている。ただし、ストッパ部１１ｄを省略し、操作ノブ７を第１の直線Ｌ１や第２の直線Ｌ２に沿って所定角度傾倒させたときに、隣接する２つのプッシュスイッチ３が共にオン動作するという構成にしてもよく、このように構成した場合、押圧操作方向に応じて８種類の信号を取り出せる８方向スイッチ装置が得られる。
【００３１】
なお、本実施形態例に係る揺動型多方向スイッチ装置１では、操作ノブ７の押圧操作を検出するスイッチ素子としてプッシュスイッチ３を用いているが、可動接点を有するラバーシートを固定接点を有する回路基板上に載置して該スイッチ素子となしてもよく、他の構造のスイッチ素子を採用してもよい。
【００３２】
また、本発明はドアミラー角度調整用のスイッチ装置に限定されるものではなく、４方向に押圧操作可能な揺動タイプの操作ノブに各押圧操作方向に対応する照光可能な押圧部が設けられているスイッチ装置であれば、本発明を適用することによって上記の実施形態例とほぼ同様の効果を期待することができる。
【符号の説明】
【００３３】
１  揺動型多方向スイッチ装置
３  プッシュスイッチ（スイッチ素子）
３ａ  可動部
４  光源
５  駆動体
５ａ  第１軸部
５ｂ  第２軸部
６  アクチュエータ
７  操作ノブ
７ａ  押圧部
７ｂ  駆動突起部（駆動部）
７ｃ  軸受壁部
１１  上ケース（ケース）
１１ｃ  立壁部
１１ｄ  ストッパ部
１３  回路基板
Ｌ１  第１の直線
Ｌ２  第２の直線
【図１】
0005395702.tif 000002
【図２】
0005395702.tif 000003
【図３】
0005395702.tif 000004
【図４】
0005395702.tif 000005
【図５】
0005395702.tif 000006
【図６】
0005395702.tif 000007
【図７】
0005395702.tif 000008
【図８】
0005395702.tif 000009
【図９】
0005395702.tif 000010